(57)【要約】      （修正有）【課題】フィルタ表面上に付着したゴミを簡単に除去できる簡易除去装置を備えた空気調和機を提供する。【解決手段】空気吸込部と空気吹出部とを有する室内機筐体を含み、上記室内機筐体内の上記空気吸込部と上記空気吹出部とを結ぶ空気通路内に熱交換器と送風機とが配置され、上記熱交換器の上流側の前面に空気中のゴミを捕捉するフィルタが設けられている空気調和機において、室内機筐体２の熱交換器３の前面側に沿って配置されたガイドレール７に沿ってゴミ取り部５をスライド可能に取り付け、フィルタ６を挟み込みながら、ゴミ取り部５を左右に移動させる。【選択図】  図１
2004301355.tif 000002
【特許請求の範囲】
【請求項１】
空気吸込部と空気吹出部とを有する室内機筐体を含み、上記室内機筐体内の上記空気吸込部と上記空気吹出部とを結ぶ空気通路内に熱交換器と送風機とが配置され、上記熱交換器の上流側の前面に空気中のゴミを捕捉するフィルタが設けられている空気調和機において、
内部に上記フィルタの表面および裏面に当接するゴミ取り手段を有するゴミ取り部と、上記ゴミ取り部を所定方向に移動可能とするガイドレールとを備えていることを特徴とする空気調和機。
【請求項２】
上記ゴミ取り部は、上記フィルタの裏面に付着したゴミを掻き取る第１ゴミ取り手段および上記第１ゴミ取り手段にて掻き取られたゴミの保管スペースを有するベースカバーと、上記フィルタの表面に付着したゴミを掻き取る第２ゴミ取り手段を有し、上記フィルタを挟んで上記ベースカバーに対向配置されるトップカバーとを備え、上記ゴミ取り部は、上記フィルタを挟持した状態で上記ガイドレールに沿って移動可能に設けられている請求項１に記載の空気調和機。
【請求項３】
上記ベースカバーと上記トップカバーとは、ヒンジ部を介して互いに開閉可能に連結されており、上記ゴミ取り部は、上記室内機筐体に着脱自在に設けられている請求項２に記載の空気調和機。
【請求項４】
上記ベースカバーの背面には、上記ガイドレールに支持されるガイド部が設けられている請求項２または３に記載の空気調和機。
【請求項５】
上記トップカバーには、上記ゴミ取り部を手動でスライドさせる際に、手などによって把持する把持部が設けられている請求項２，３または４に記載の空気調和機。
【請求項６】
上記第１および第２ゴミ取り部手段は、上記各カバーの基底部から上記フィルタに向けて所定高さに立設されたブラシ台と、上記フィルタのフィルタ面に向けて上記ブラシ台上に設けられた植毛ブラシとを含み、上記植毛ブラシは、中央からスライド方向に両端側に向けて互いに離反する方向に傾斜する傾斜ブラシからなる請求項２ないし５のいずれか１項に記載の空気調和機。
【請求項７】
上記各ブラシ台は、上記各カバーに着脱自在に設けられている請求項６に記載の空気調和機。
【請求項８】
上記室内機筐体は、上記空気吸込部として上記フィルタの頂部から前面を覆うように取り付けられる前面パネルを有し、上記前面パネルは、ほぼ中央を戸当たり面とする観音開き式扉からなり、上記トップカバーには、上記前面パネルを閉状態で係止する係止部が設けられている請求項１ないし７のいずれか１項に記載の空気調和機。
【請求項９】
上記前面パネルの各戸当たり面には、上記係止部に係止される係止爪が設けられている請求項８に記載の空気調和機。
【請求項１０】
上記ガイドレールと上記ゴミ取り部との間には、上記ゴミ取り部を上記前面パネルに対して係止位置に固定するための固定手段が設けられている請求項８または９に記載の空気調和機。
【請求項１１】
上記室内機筐体には、上記フィルタを上記熱交換器の吸込面に沿って保持するためフィルタ受け部と、上記フィルタ受け部に対向して上記フィルタ受け部の上方の形成されるフィルタ押さえ部とが設けられており、上記フィルタ受け部と上記フィルタ押さえ部との一端側は開放されており、その開放端から上記フィルタを差し込んで上記室内機筐体に保持する請求項１ないし１０のいずれか１項に記載の空気調和機。
【請求項１２】
上記フィルタは、上記熱交換器の吸込面に沿って配置される少なくとも２枚のフィルタメンバーと、上記各フィルタメンバー同士を互いにジョイントする連結具とを備え、上記連結具を介して上記各フィルタメンバーが上記熱交換器の吸込面に沿って並列に連結され、配置される請求項１ないし１１のいずれか１項に記載の空気調和機。
【請求項１３】
上記ゴミ取り部、上記フィルタの少なくとも一方は、抗菌剤または防カビ剤の添加された材料で構成されている請求項１ないし１２のいずれか１項に記載の空気調和機。
【発明の詳細な説明】
【０００１】
【発明の属する技術分野】
本発明は、フィルタに付着したゴミを除去する機能を備えた空気調和機に関し、さらに詳しく言えば、手動で操作し得る構造の簡単なゴミ取り手段を備えた空気調和機に関する。
【０００２】
【従来の技術】
空気調和機（室内ユニット）の空気吸込口には、空気中の特に粗ゴミを除去するフィルタが設けられている。フィルタには空調の運転時間に比例してゴミが堆積し、その量が多くなると熱交換効率が低下するため、適宜フィルタを清掃する必要がある。
【０００３】
一般的には、特許文献１のように着脱式のエアフィルタを備え、顧客の手によってフィルタを室内機筐体から取り外して例えば手洗いなどによりゴミを除去した後、再びフィルタを手動で室内機筐体に装着するようにしている。
【０００４】
しかしながら、通常の空気調和機は、部屋の高所に設置されているため、高齢者や女性にとってはフィルタの着脱が困難であるため、清掃作業が敬遠されやすいという問題があった。
【０００５】
そこで、例えば特許文献２や特許文献３に示すようなフィルタを自動的に清掃する清掃装置付き空気調和機が提案されている。
【０００６】
しかしながら、特許文献２では、平板状のフィルタに沿ってブラシを水平方向に移動させながら、フィルタ上に付着したゴミを擦り落とす方法を採用しているため、適用が平板状のフィルタに限られる。
【０００７】
特に、最近の空気調和機においては、筐体の小型化に伴い、フィルタ面を湾曲したり、折り曲げたりして筐体内に収納されることが一部の機種において行われており、このようなフィルタになると特許文献２では対応できない。
【０００８】
また、特許文献３は、回転ローラによって空気調和機の外部にフィルタを引き出し、室外機上部に予め設置された吸引筒と吸込パイプによりフィルタ上に付着しゴミを吸引した後、再びフィルタを空気調和機の所定場所に戻すというものであるが、この方法では、吸引筒と吸込パイプを筐体の外に別途設けなければならず、構造が複雑になるばかりでなく、室内機としての意匠の見映えもよくない。
【０００９】
さらに、別の方法として、例えば特許文献４には、巻き取り式の円筒状ローラ間にフィルタを張設し、フィルタ上に付着したゴミをフィルタの巻き上げ動作とともに除去する方法が提案されている。
【００１０】
しかしながら、この特許文献４によると、ゴミが付着したフィルタを巻き上げてフィルタ収納部内に収納するため、フィルタは使い捨てとなる。したがって、フィルタをあらかじめ大量に用意しておく必要があり、結局コスト高となって顧客に負担をかけることになる。また、フィルタ収納部（繰り出し側と巻き取り側）を筐体の両側に設けなくてはならず、室内機全体の寸法が大きくなり、小型化に反することにもなる。
【００１１】
【特許文献１】
特開平１１−１５９８５４号公報
【特許文献２】
実開平４−３３９１６号公報
【特許文献３】
実開平４−５０３２０号公報
【特許文献４】
特開平３−１２２４２２号公報
【００１２】
【発明が解決しようとする課題】
本発明は、上述した問題点を解決するためになされたもので、その目的は、フィルタ表面上に付着したゴミを簡単に除去し得るとともに、除去したゴミを長期間保管でき、しかも簡単に回収することができ、また、筐体内にコンパクトに収納できるゴミ取り手段を備えた空気調和機を提供することにある。
【００１３】
【課題を解決するための手段】
上述した目的を達成するため、本発明は、空気吸込部と空気吹出部とを有する室内機筐体を含み、上記室内機筐体内の上記空気吸込部と上記空気吹出部とを結ぶ空気通路内に熱交換器と送風機とが配置され、上記熱交換器の上流側の前面に空気中のゴミを捕捉するフィルタが設けられている空気調和機において、内部に上記フィルタの表面および裏面に当接するゴミ取り手段を有するゴミ取り部と、上記ゴミ取り部を所定方向に移動可能とするガイドレールとを備えていることを特徴としている。
【００１４】
これによれば、フィルタを据え付けた状態のまま、ゴミ取り部を左右にスライドさせるだけで、フィルタ上に付着したゴミを除去することができるばかりでなく、除去されたゴミをゴミ取り部内に保管しておくことができる。
【００１５】
より好ましい態様として、上記ゴミ取り部は、上記フィルタの裏面に付着したゴミを掻き取る第１ゴミ取り手段および上記第１ゴミ取り手段にて掻き取られたゴミの保管スペースを有するベースカバーと、上記フィルタの表面に付着したゴミを掻き取る第２ゴミ取り手段を有し、上記フィルタを挟んで上記ベースカバーに対向配置されるトップカバーとを備え、上記ゴミ取り部は、上記フィルタを挟持した状態で上記ガイドレールに沿って移動可能に設けられている。
【００１６】
上記ベースカバーと上記トップカバーとは、ヒンジ部を介して互いに開閉可能に連結されており、上記ゴミ取り部は、上記室内機筐体に着脱自在に設けられていることが好ましい。これによれば、ゴミ取り部内に保管されているゴミを簡単に除去することができるとともに、ゴミ取り部を取り外して、水洗いなどによって洗浄することもできる。
【００１７】
上記ベースカバーの背面には、上記ガイドレールに支持されるガイド部が設けられている。これによれば、ガイドレールの配設方向に沿ってゴミ取り部を確実にスライド移動させることができる。
【００１８】
上記トップカバーには、上記ゴミ取り部を手動でスライドさせる際に、手などによって把持する把持部が設けられていることが好ましい。これによれば、把持部をもってゴミ取り部を左右にスライドさせることを容易に行うことができる。
【００１９】
上記第１および第２ゴミ取り部手段は、上記各カバーの基底部から上記フィルタに向けて所定高さに立設されたブラシ台と、上記フィルタのフィルタ面に向けて上記ブラシ台上に設けられた植毛ブラシとを含み、上記植毛ブラシは、中央からスライド方向に両端側に向けて互いに離反する方向に傾斜する傾斜ブラシからなる。これによれば、植毛ブラシがフィルタ面に鋭角的に刺さるようになり、フィルタ面に付着したゴミを掻き出す効果が高まる。
【００２０】
なお、植毛ブラシを洗浄しやすくするため、上記各ブラシ台は、上記各カバーに着脱自在に設けられていることが好ましい。
【００２１】
上記室内機筐体は、上記空気吸込部として上記フィルタの頂部から前面を覆うように取り付けられる前面パネルを有し、上記前面パネルは、ほぼ中央を戸当たり面とする観音開き式扉からなり、上記トップカバーには、上記前面パネルを閉状態で係止する係止部が設けられている。これによれば、観音開き式の前面パネルの間にゴミ取り手段が挟まれるように保持されることで、室内機筐体の奥行き寸法が大きくなることを防止できる。
【００２２】
上記前面パネルの各戸当たり面には、上記係止部に係止される係止爪が設けられていることが好ましい。
【００２３】
上記ゴミ取り部を上記前面パネルの係止部材として用いるためには、ゴミ取り部を確実に定位置を知る必要がある。そこで、上記ガイドレールと上記ゴミ取り部との間には、上記ゴミ取り部を上記前面パネルに対して係止位置に固定するための固定手段が設けられている。
【００２４】
上記室内機筐体には、上記フィルタを上記熱交換器の吸込面に沿って保持するためフィルタ受け部と、上記フィルタ受け部に対向して上記フィルタ受け部の上方の形成されるフィルタ押さえ部とが設けられており、上記フィルタ受け部と上記フィルタ押さえ部との一端側は開放されており、その開放端から上記フィルタを差し込んで上記室内機筐体に保持する。これによれば、フィルタの取付および取り外しを簡単かつ確実に行うことができる。
【００２５】
上記フィルタは、上記熱交換器の吸込面に沿って配置される少なくとも２枚のフィルタメンバーと、上記各フィルタメンバー同士を互いにジョイントする連結具とを備え、上記連結具を介して上記各フィルタメンバーが上記熱交換器の吸込面に沿って並列に連結され、配置される。これによれば、フィルタを分割することができ、洗浄性がよくなる。
【００２６】
上記ゴミ取り部、上記フィルタの少なくとも一方は、抗菌剤または防カビ剤の添加された材料で構成されていることが好ましい。
【００２７】
【発明の実施の形態】
次に、本発明の実施形態について図面を参照しながら説明する。図１は、本発明の一実施形態に係る空気調和機を前面パネルを開いた状態で示す斜視図であり、図２は、その内部構造を示す断面図である。
【００２８】
この空気調和機１（室内機）の筐体２は、熱交換器３および送風機４を支持して室内の壁面に固定されるベース２１と、少なくとも熱交換器３を覆うようにベース２１に取り付けられるパネル２２とを備えている。ベース２１およびパネル２２は、ともに合成樹脂の成型品からなる。
【００２９】
ベース２１は、壁面に沿ってほぼ平行な設置面２１０を有し、設置面２１０の両側には、前方に向けて張り出すように形成された左右一対の側板２１１，２１２が設けられている。その側板２１１，２１２に熱交換器３および送風機４が掛け渡されている。
【００３０】
ベース２１の内面側、すなわち反壁面側には、ベース２１側に配置された背面側熱交換器３２の結露水を受け止めるドレン溝２１３と、送風機４から空気吹出口２５に向けて空気を吹き出す空気通路２４の一部を構成する送風ガイド面２１４とが一体的に設けられている。なお、ベース２１の背面側の底面には、ドレンパイプや電源コードなどの各種配管類２６が収納されている。
【００３１】
パネル２２は、一端がベース２１の側板２１１，２１２に対してヒンジ手段を介して連結され、他端側が観音開き式に開閉する扉状パネル２２ａ、２２ｂを備えている。
【００３２】
各扉状パネル２２ａ、２２ｂは、ベース２１側に閉じた際に、熱交換器３の上面含めて熱交換器３全体を覆うようにベース２１側に向かって延設された断面逆Ｌ字状に形成されており、各扉状パネル２２ａ、２２ｂの前面および上面には、筐体２内に空気を取り込むためのグリルからなる空気吸込部２２１が設けられている。
【００３３】
各扉状パネル２２ａ、２２ｂの戸当たり面には、後述するゴミ取り部５のトップカバー５２の側面に設けられた係止部５２６ａ、５２６ｂに係止される係止爪２２２，２２２が形成されている（図１部分拡大図参照）。
【００３４】
パネル２２の下端側と空気吹出部２５との間には、前面側熱交換器３１によって生成されたドレン水を受け止めるドレンパン２３が設けられている。ドレンパン２３は、ベース２１の側板２１１，２１２間に掛け渡され、前面側熱交換器３１の幅に沿って延在する樋状に形成されている。
【００３５】
空気吹出部２５は、筐体２の下部に設けられており、その内部には、上下の吹出方向を変える上下風向板２５１と、左右の吹出方向を変える左右風向板２５２とが設けられている。上下風向板２５１は、ベース２１の側板２１１，２１２間に掛け渡されており、左右風向板２５２はドレンパン２３の底面側に回転可能に取り付けられている。
【００３６】
図１の部分拡大図に示すように、熱交換器３の両端側には、フィルタ６が載置されるフィルタ受け部２６ａ、２６ｂが設けられている。フィルタ受け部２６ａ、２６ｂは、熱交換器３の前面から上部に掛けて逆Ｌ字状に形成されており、ベース２１の側板２１１，２１２に固定されている。
【００３７】
フィルタ受け部２６ａ、２６ｂの上部には、フィルタ押さえ部２７ａ、２７ｂがさらに設けられている。フィルタ押さえ部２７ａ、２７ｂは、上記フィルタ押さえ部２６ａ、２６ｂとほぼ同じ湾曲形状を有し、それらの間にフィルタ６の両端が保持される。
【００３８】
次に、筐体２内部の構成について説明する。筐体２内には、熱交換器３、送風機４、ゴミ取り部５およびフィルタ６がそれぞれ所定位置に配置されている。
【００３９】
図２に示すように、熱交換器３は、２つの熱交換器ユニット３１１，３１２を上下に連結した前面側熱交換器３１と、背面側熱交換器３２とを頂部の連結板３３を介してほぼΛ（ラムダ）型に連結したものからなり、これら前面側熱交換器３１および背面側熱交換器３２は、ベース２１の側板２１１，２１２に支持されている。
【００４０】
送風機４は、空気通路２４内に配置されたクロスフローファンからなり、熱交換器３と同じくベース２１の左右の側板２１１，２１２の間に支持されている。この送風機４を駆動することにより、パネル２２の前面および上面の空気吸込部２２１から空気が吸い込まれ、フィルタ６を通って除塵された後、熱交換器３で所定温度に調温されて空気吹出部２５から室内に向けて吹き出される。
【００４１】
前面側熱交換器３１の前面側には、ゴミ取り部５をスライドさせる際のガイド役となるガイドレール７が設けられている。ガイドレール７は、上部側の熱交換器ユニット３１１の前面に配置される第１ガイドレール７１と、各熱交換器ユニット３１１，３１２との連結部付近に配置される第２ガイドレール７２との２本のガイドレールを備え、これらのガイドレール７１，７２は互いに平行に配置されている。
【００４２】
この例において、第１ガイドレール７１は、丸棒状の支軸からなり、両端がベース２１の側板２１１，２１２の間に掛け渡されている。第２ガイドレール７２は、幅方向の両端が前面側熱交換器３１側に向けてほぼ直角に折り曲げられた断面コ字状であり、同じくベース２１の側板２１１，２１２の間に掛け渡されている。
【００４３】
熱交換器３の前面側には、このガイドレール７に沿って移動可能にゴミ取り部５が配置されている。図３に示すように、ゴミ取り部５は、フィルタ６の裏面側に沿って配置されるベースカバー５１と、フィルタ６の表面側に同ベースカバー５１と対向するように配置されるトップカバー５２とを備え、それらがヒンジ部５３を介して開閉可能に連結されている。
【００４４】
図４は、図１のＡ−Ａ線に沿ってゴミ取り部５を切断した断面図である。ベースカバー５１とトップカバー５２との突き合わせ面には、フィルタ６をゴミ取り部５内にスライド可能に挿通する挿通孔５４ａ、５４ｂが設けられている。この例において、各挿通孔５４ａ、５４ｂは、各カバー５１，５２の両端部に設けられた切欠からなる。
【００４５】
ベースカバー５１は、フィルタ６の幅方向（図１ではフィルタの上部から下部にかけての幅方向）に沿って逆Ｌ字状に形成されており、フィルタ６の幅よりも長く形成されている。図４に示すように、ベースカバー５１は、両端が基底部５１１からフィルタ６に向けてほぼ直角に折り曲げられた断面コ字状に形成されており、その内部がフィルタ６から掻き落とされたゴミＧ（図５参照）の保管スペース５１２となっている。
【００４６】
図２に示すように、ベースカバー５１の両端（図１では、フィルタの上部側と下部側の端部）には、ブラシ台５１３が着脱自在に嵌合される嵌合部５１１ａ、５１１ｂが設けられている。嵌合部５１１ａ、５１１ｂは、基底部５１１から所定高さに立設され、ベースカバー５１の幅方向に延在する丸棒状のリブからなり、そこにブラシ台５１３が嵌合される。
【００４７】
なお、一方の嵌合部５１１ａは、ベースカバーとトップカバー５２とを開閉可能に支持するヒンジ部５３の一方のヒンジ手段として共有され、この嵌合部５１３ａにトップカバー５２の他方のヒンジ手段（図示しない）が嵌合される。
【００４８】
この例において、ブラシ台５１３は断面Ｔ字状に形成されており、その天面には、フィルタ６の裏面側に接触可能に第１ゴミ取り手段としての植毛ブラシ５１４が設けられている。
【００４９】
図２に示すように、ブラシ台５１３の両端（図１ではフィルタ６の上部側と下部側の端部）には、断面Ｃ字状のクリップ部５１３ａ、５１３ｂが設けられている。このクリップ部５１３ａ、５１３ｂが上記嵌合部５１１ａ、５１１ｂに着脱自在に嵌合され、ブラシ台５１３が取り外し可能となっている。
【００５０】
植毛ブラシ５１４は、図４に示すように、ブラシ台５１３の天面に沿って平行に配置されており、ブラシ台５１３の中央から両端側に向けて互いに離反する方向に傾斜する傾斜ブラシ５１４ａ、５１４ｂからなる。
【００５１】
この例において、ブラシ台の中央から左側にかけての傾斜ブラシ５１４ａは、左側に向かって傾斜されており、中央から右側にかけての傾斜ブラシ５１４ｂは、右側に向かって傾斜されている。
【００５２】
これによれば、図５（ａ）および（ｂ）に示すように、ベースカバー５１が左方向に移動する場合は、左側の傾斜ブラシ５１４ａがフィルタ６の裏面に対して鋭角的に接触しながら移動することで、フィルタ６に付着したゴミＧが効率的に掻き出される。逆に、ベースカバー５１が右方向に移動していく場合には、右側の傾斜ブラシ５１４ｂによってフィルタ６に付着したがゴミＧが掻き出される。
【００５３】
ベースカバー５１の背面側（熱交換器３側）には、ゴミ取り部５を第１ガイドレール７１に着脱自在に取り付けるためのクリップ部５４と、第２ガイドレール７２に沿って配置されるガイド溝５５とが設けられている。
【００５４】
クリップ部５４は、ベースカバー５１背面の幅方向に沿って延在する断面Ｃ字状に形成されており、そこに第１ガイドレール７１が嵌合される。これにより、ゴミ取り部５が熱交換器３の前面に沿ってスライド可能となっている。
【００５５】
ガイド溝５５は、図２に示すように、基底部５１１の幅方向に沿って凹まされた凹溝からなり、このガイド溝５５が第２ガイドレール７２に係合する。
【００５６】
これによれば、ゴミ取り部５が、第１ガイドレール７１に対して着脱自在に保持されるとともに、第２ガイドレール７２によってさらにガイドされることで、確実に平行に移動させることができる。
【００５７】
次に、トップカバー５２は、フィルタ６の幅方向（図１ではフィルタの上部から下部にかけての幅方向）に沿って逆Ｌ字状に形成されており、フィルタ６の幅よりも長く形成されている。
【００５８】
図４に示すように、トップカバー５２は、両端が基底部５２１からフィルタ６に向けてほぼ直角に折り曲げられた断面コ字状に形成されており、その内部がフィルタ６から掻き落とされたゴミＧ（図５参照）の保管スペース５２２となっている。
【００５９】
図２に示すように、トップカバー５２の両端（図１では、フィルタの上部側と下部側の端部）には、ブラシ台５２３が着脱自在に嵌合される嵌合部５２１ａ、５２１ｂが設けられている。嵌合部５２１ａ、５２１ｂは、基底部５２１から所定高さに立設され、幅方向に延在する丸棒状のリブからなり、そこにブラシ台５２３が嵌合される。
【００６０】
この例において、ブラシ台５２３もブラシ台５１３と同様の断面Ｔ字状に形成されており、その天面には、フィルタ６の裏面側に接触可能に第２ゴミ取り手段としての植毛ブラシ５２４が設けられている。
【００６１】
図２に示すように、ブラシ台５２３の両端（図１ではフィルタ６の上部側と下部側の端部）には、断面Ｃ字状のクリップ部５２３ａ、５２３ｂが設けられている。このクリップ部５２３ａ、５２３ｂが上記嵌合部５２１ａ、５２１ｂに着脱自在に嵌合され、ブラシ台５２３がトップカバー５２から取り外し可能となっている。
【００６２】
植毛ブラシ５２４は、図４に示すように、ブラシ台５２３の天面に沿って平行に配置されており、ブラシ台５２３の中央から両端側に向けて互いに離反する方向に傾斜する傾斜ブラシ５２４ａ、５２４ｂからなる。
【００６３】
この例において、ブラシ台の中央から左側にかけての傾斜ブラシ５２４ａは、左側に向かって傾斜されており、中央から右側にかけての傾斜ブラシ５２４ｂは、右側に向かって傾斜されている。
【００６４】
これによれば、図５（ａ）および（ｂ）に示すように、トップカバー５２が左方向に移動する場合は、左側の傾斜ブラシ５２４ａがフィルタ６の表面に対して鋭角的に接触しながら移動することで、フィルタ６に付着したゴミＧが効率的に掻き出される。逆に、トップカバー５２が右方向に移動していく場合には、右側の傾斜ブラシ５２４ｂによってフィルタ６に付着したがゴミＧが掻き出される。
【００６５】
この例において、ゴミ取り部５は、使用者の手によって手動で左右にスライドさせて使用される。そこで、図７に示すように、トップカバー５２の前面側には、ゴミ取り部５を手動で駆動する場合に、手で把持するための把持部５２５が設けられている。
【００６６】
把持部５２５は、手で把持しやすいようにトップカバー５２の幅方向から中央に向けて凹まされており、その凹みを手で把持することで、ゴミ取り部５を左右にスライドしやすくしている。
【００６７】
図３にも示すように、トップカバー５２の前面にはさらに、上述した扉状パネル２２ａ、２２ｂの係止爪２２２，２２２が係止される係止部５２６ａ、５２６ｂが設けられている。この例において、係止部５２６ａ、５２６ｂは、トップカバー５２の前面の下側に設けられており、係止爪２２２，２２２が係止される係止凹溝からなる。
【００６８】
この実施形態において、ゴミ取り部５は、それぞれ合成樹脂の成型品から構成されているが、ゴミ取り部５はゴミ保管部としての機能も併せ持っているため、合成樹脂に抗菌剤や防かび剤などを配合してもよい。このような態様も本発明に含まれる。
【００６９】
図１および図６を参照して、フィルタ６は２枚のフィルタメンバー６ａ、６ｂを備え、それらが連結部６１を介して横長に連結されおり、熱交換器３の前面を覆うように配置されている。
【００７０】
各フィルタメンバー６ａ、６ｂは、格子状のフレーム内に網状のフィルタ面が一体形成された樹脂製の湾曲可能なものからなり、熱交換器の前面から頂部を経て上面を覆うように設けられている。
【００７１】
この例において、各フィルタメンバー６ａ、６ｂは、例えばポリプロピレンなどのベース樹脂に例えば導電性樹脂などの帯電防止剤をさらに添加したものからなり、静電気などによってゴミが付着しにくいよう加工されている。なお、抗菌剤や防かび剤などをさらに配合して、衛生性を高めてもよい。
【００７２】
なお、この実施形態において連結部６１は、一体に形成されているが、例えば簡易な連結具を別途作製し、それを用いて２枚のフィルタメンバー６ａ、６ｂ同士を連結してもよい。これによれば、フィルタメンバー６ａ、６ｂが分解可能となり、洗浄性やメンテナンス性がよくなる。このような態様も本発明に含まれる。
【００７３】
次に、この空気調和機１のフィルタ６の清掃手順の一例について説明するが、その使用手順は至って簡単である。すなわち、まず、図示しないリモコンなどに設けられた運転停止ボタンを操作して、空気調和機１の運転を停止する。なお、停止せずに清掃することも可能ではあるが、ゴミが舞い上がるおそれがあるため、好ましくない。
【００７４】
運転停止後、ユーザーは、各扉状パネル２２ａ、２２ｂをそれぞれ観音開きに開く。このとき、各扉状パネル２２ａ、２２ｂに開状態を維持するための維持手段が別途設けられていてもよい。
【００７５】
各扉状パネル２２ａ、２２ｂを開けた後、ユーザーは、初期位置（中央）にあるゴミ取り部５のトップカバー５２に設けられた把持部２５を手で把持して、そのままゴミ取り部５を左右にスライドさせることにより、内部に設けられた植毛ブラシ５１４、５２４がフィルタ６の表面および裏面に付着したゴミＧを掻き出す。
【００７６】
掻き出されたゴミは、一旦ゴミ取り部５内の保管スペース５１２，５２２内に保管される。清掃終了後は、ゴミ取り部５を再び中央の初期位置に戻して、各扉状パネル２２ａ、２２ｂを閉じることにより清掃作業が完了する。
【００７７】
なお、ゴミ取り部５の初期位置を分かりやすくするため、ゴミ取り手段５とガイドレール７との間にクリック手段や固定手段などを別途設けてもよい。このような態様も本発明に含まれる。
【００７８】
回収したゴミを廃棄したい場合は、ゴミ取り部５のトップカバー５２を図３に示すように開状態とし、そこに溜まったゴミを電気掃除機などを使って吸引除去するだけで簡単に除去することができる。ゴミの除去後は、フィルタ６やゴミ取り部５自体を取り外して洗浄することも可能である。
【００７９】
なお、この例において、ゴミ取り部５は手動式であるが、駆動モータなどを用いて自動で移動させてもよく、その移動方向も熱交換器３に対して左右方向だけでなく、上下方向にスライドさせてもよい。また、本発明のゴミ取り部は、Λ（ラムダ）型の熱交換器３に限定されず、平面型の熱交換器に組み込んでもよい。
【００８０】
さらには、本発明において前面パネル２２は、観音開き式の扉状パネルを採用しているが、一般的な片開き式のパネルに本発明のゴミ取り手段を設けてもよく、パネルの構成はあくまで任意である。
【００８１】
【発明の効果】
以上説明したように、本発明によれば、内部にフィルタの表面および裏面に当接するゴミ取り手段を有するゴミ取り部と、ゴミ取り部を所定方向に移動可能とするガイドレールとを備え、ゴミ取り部をガイドレールに沿って移動させることにより、フィルタを据え付けた状態のまま、ゴミ取り部を左右にスライドさせるだけで、フィルタ上に付着したゴミを除去することができる。また、除去されたゴミをゴミ取り部内に保管しておくことができる。
【図面の簡単な説明】
【図１】本発明の一実施形態に係る空気調和機を前面パネルを開いた状態で示す斜視図および部分拡大図。
【図２】上記空気調和機の内部構造を示す断面図。
【図３】ゴミ取り部を開いた状態の模式図。
【図４】ゴミ取り部の内部構造を示すＡ−Ａ線断面図。
【図５】ゴミ取り部のゴミ取り状態を模式的に説明する模式図。
【図６】フィルタの構成を説明する模式図。
【図７】トップカバーの構成を説明する斜視図。
【符号の説明】
１  空気調和機
２  室内機筐体
２１  ベース
２１１，２１２  側板
２２  パネル
２２ａ、２２ｂ  扉状パネル
２２１  空気吸込部
２４  空気通路
２５  空気吹出部
３  熱交換器
４  送風機
５  ゴミ取り部
５１  ベースカバー
５１３  ブラシ台
５１４  植毛ブラシ
５２  トップカバー
５２３  ブラシ台
５２４  植毛ブラシ
５３  ヒンジ部
５４ａ，５４ｂ  挿通孔
６  フィルタ
７  ガイドレール
７１  第１ガイドレール
７２  第２ガイドレール
Ｇ  ゴミ
【図１】
2004301355.tif 000003
【図２】
2004301355.tif 000004
【図３】
2004301355.tif 000005
【図４】
2004301355.tif 000006
【図５】
2004301355.tif 000007
【図６】
2004301355.tif 000008
【図７】
2004301355.tif 000009